(57)【要約】【課題】装置の構造が複雑であること、明確なコストアップを招くこと、及び装置の信頼性に欠けるということである。【解決手段】鞄本体１の開口部１３を開閉自在な開閉手段５と、鞄本体１を持ち運びするための支持部材２とが装備された鞄において、操作片１４と、この操作片１４の挿入によって作動停止し、挿入されている操作片１４の抜き取りによって警報作動する警報装置本体１５と、操作片１４に取付けられた紐状体１０とから成る警報装置４の収容スペース１７を、鞄本体１の内部に設けるとともに、紐状体１０を支持部材２とともに支持可能とすべく、紐状体１０を鞄本体１内部から外部に取出すための挿通孔１１を鞄本体１に形成する。【選択図】　　図１
0003099216.tif 000002
【実用新案登録請求の範囲】
【請求項１】
鞄本体の開口部を開閉自在な開閉手段と、前記鞄本体を持ち運びするための支持部材とが装備された鞄であって、
操作片と、この操作片の挿入によって作動停止し、挿入されている前記操作片の抜き取りによって警報作動する警報装置本体と、前記操作片に取付けられた紐状体とから成る警報装置の収容スペースを、前記鞄本体の内部に設けるとともに、前記紐状体を前記支持部材と共に支持可能とすべく、前記紐状体を鞄本体内部から外部に取出すための挿通孔を前記鞄本体に形成してある鞄。
【請求項２】
前記支持部材は、前記鞄本体の上部に取付けられて把持自在な取っ手であるとともに、前記紐状体を前記取っ手と共握り自在となるように、前記挿通孔を前記鞄本体における前記取っ手の付け根部付近に形成してある請求項１に記載の鞄。
【請求項３】
前記紐状体における前記挿通孔から外側の部分が、手指の挿通が自在なループ状に形成されている請求項１又は２に記載の鞄。
【請求項４】
前記警報装置本体は警笛を発するものに構成されている請求項１乃至３のいずれか一項に記載の鞄。
【考案の詳細な説明】
【０００１】
【考案の属する技術分野】
本考案は、引ったくり、置き引き等の鞄の盗難に遭遇したときに、その盗難を周囲に知らしめることが可能な警報装置に対応できる鞄に関するものである。
【０００２】
【従来の技術】
従来、手提かばん、スクールかばん、旅行かばん、スーツケースやトランクといった種々の鞄を、引ったくり、置き引き等から保護する対策として、盗難防止装置が装備されたものがある。
【０００３】
例えば、鞄に携帯受信器やそれに加えてブザーを装備しておき、万が一、盗難にあって鞄が奪われてしまうと、しかる後に、携帯発信機を操作して、握り部分に電流を流したりブザーを鳴らすことにより、加害者は鞄を置いて逃げ出さざるを得なくなるとか、犯罪意欲を喪失するようになり、盗難時の危険を回避しながら盗難防止が図れるようにした手段がある。このような手段は、特許文献１において開示されたものが知られている。
【０００４】
また、リュックサック等の背負い鞄において、鞄本体内に非常ブザーや非常灯から成るセキュリティー装置を配備するとともに、背負い帯にピン・ジャックを装備し、ピンのジャックからの引き抜きに伴ってセキュリティー装置が作動するように構成することにより、盗難防止等の効果を奏する技術がある。このような技術は、特許文献２において開示されたものが知られている。
【０００５】
しかしながら、前記前者の従来技術では、専用の電源や回路から成る受信器やブザーを鞄ごとに装備しなければならず、鞄の明確なコストアップに繋がるとともに、鞄の持ち主が発信機を忘れると、受信器側はさっぱり作動できず、盗難防止機能が発揮されない点で信頼性に乏しい面もあり、コスト高となる割りには芳しいものではなかった。
【０００６】
そして、前記後者の従来技術では、背負い帯に装備されたジャックからのピンの引き抜きによってセキュリティー装置が作動するので、前記前者の従来技術のように、発信機を持ち歩かないで済む点は良いが、背負い鞄ごとに専用のセキュリティー装置が必要であり、やはり明確なコストアップに繋がるとともに、ピンに繋がれた紐らしきものを、どのようにして引張り作動できるかの記載がなく、盗難防止に関してうまく機能できるかどうかがはっきりしない。
【０００７】
【特許文献１】特開２０００−１５７３２０号公報
【特許文献２】特開２００３−１３５１３０号公報
【０００８】
【考案が解決しようとする課題】
解決しようとする問題点は、装置の構造が複雑であること、明確なコストアップを招くこと、及び装置の信頼性に欠けるということである。そこで、本発明の目的は、鞄に盗難防止機能を盛り込むに当り、できるだけ構造が簡単に構成でき、かつ、コストアップを招かないようにしながら、携帯忘れによる作動不能といったことがなく、確実に作動し得るようにする点にある。
【０００９】
【課題を解決するための手段】
請求項１の構成は、鞄本体の開口部を開閉自在な開閉手段と、鞄本体を持ち運びするための支持部材とが装備された鞄において、
操作片と、この操作片の挿入によって作動停止し、挿入されている操作片の抜き取りによって警報作動する警報装置本体と、操作片に取付けられた紐状体とから成る警報装置の収容スペースを、鞄本体の内部に設けるとともに、紐状体を支持部材と共に支持可能とすべく、紐状体を鞄本体内部から外部に取出すための挿通孔を鞄本体に形成してあることを特徴とする。
【００１０】
請求項２の構成は、請求項１に記載の鞄において、支持部材は、鞄本体の上部に取付けられて把持自在な取っ手であるとともに、紐状体を取っ手と共握り自在となるように、挿通孔を鞄本体における取っ手の付け根部付近に形成してあることを特徴とする。
【００１１】
請求項３の構成は、請求項１又は２に記載の鞄において、紐状体における挿通孔から外側の部分が、手指の挿通が自在なループ状に形成されていることを特徴とする。
【００１２】
請求項４の構成は、請求項１乃至３に記載の鞄において、警報装置本体は警笛を発するものに構成されていることを特徴とする。
【００１３】
【考案の実施の形態】
鞄の一例として、布製のビジネスバックに、市販のアラーム装置が携帯されたアラーム付きバッグとして、以下に説明する。警報装置として、市販のアラーム装置を用いることにより、アラームの有無の選択が可能であるとともに、廉価に盗難防止機能を発揮させることができる。
【００１４】
【実施例】
図１、図２にはビジネスバッグの全体図が示され、図３にはアラーム装置に収容状態が、そして、図４にはアラーム装置の作動原理図が示されている。鞄の一例であるビジネスバッグＡは、鞄本体１と、左右一対の取っ手（鞄本体を持ち運びするための支持部材の一例）２と、肩紐（図示省略）の着脱を自在とするための左右一対のフック３と、アラーム装置（警報装置の一例）４とから構成されている。
【００１５】
鞄本体１は、上面部１Ａと左右の側面部１Ｂ、１Ｃに亘る状態で形成された開口部１３を開閉自在とするために装備された主開閉ファスナ（開閉手段の一例）５と、一対の小開閉ファスナ６付きのポケット部７とフック３とが具備された正面部１Ｄと、ほぼ全幅に亘る長さの長い大開閉ファスナ８付きの大ポケット部９とフック３とが具備された背面部１Ｅ等を有して構成されている。
【００１６】
取っ手２は、正面部１Ｄと背面部１Ｅ夫々の上端部における左右対称の位置縫合によって固着されており、これら左右一対の取っ手２を握ることで鞄Ａを把持しての支持が自在に構成してある。上面部１Ａにおける背面部１Ｅ側で、かつ、取っ手２の２箇所の縫合部２ａの間には、アラーム装置４の付属部品である紐状体（後述）１０を取出すための挿通孔１１が形成されている。また、右側面部１Ｃの主開閉ファスナ５のすぐ下の位置には、アラーム装置４の警笛音を鞄外部に聞こえ易くするための通気グリル１２が装備されている。
【００１７】
アラーム装置４は、図４に示すように、棒状の操作片１４と、この操作片１４の挿入によって作動停止し［図４（ａ）参照］、挿入されている操作片１４の抜き取りによってアラーム作動（警報作動）する［図４（ｂ）参照］警報装置本体１５と、操作片１４に取付けられた紐状体１０とから構成されている。図３に示す鞄本体１への収容状態では、警報装置本体１５の前面側に配備された警笛出力部１６が、丁度通気グリル１２の裏側に位置するようになっている。このアラーム装置４は、「痴漢防止ブザー」等と称して、従来から市販されている一般的な警報装置を使用している。従って、警報装置本体１５については、これ以上の詳細な構造説明は割愛する。
【００１８】
図３は、主開閉ファスナ５を開き操作して開口部１３を開き、右側面部１Ｃの裏側面１ｃを覗いた図であり、アラーム装置４は、裏側面１ｃの下部に形成された網目状（メッシュ状）の収容ポケット（収容スペースの一例）１７に挿入して収容されている。警報装置本体１５と、これの裏面側に一体形成された挟持片１５ａとで、ポケット網目１７ａを挟持するとともに、警報装置本体１５の収容ポケット１７からの抜け止めを行うための押え片１８が、裏側面１ｃに付設されている。
【００１９】
操作片１４に括り付けられた紐状体１０は、ループ状に折り返され、鞄本体１の内側に取付けられた環状のガイド１９を通して延ばされ、上面部１Ａに形成された挿通孔１１を通して鞄本体１の外部に取出してある。その挿通孔１１から取出された紐状体１０の先端部は、図２に示すように、取っ手２に沿わすことが可能な長さに設定されている。つまり、筒状の口金１１ａで補強されている挿通孔１１は、鞄本体１における取っ手２の付け根部付近に形成されている。
【００２０】
従って、そのループ状の紐状体１０に手指を通した状態で、左右の取っ手２を共握りしてビジネスバッグＡを持つことにより、ビジネスバッグＡが引ったくりに遭遇すると、少なくとも手指の通された紐状体１０は被害者に残るので、その紐状体１０が抜かれた警報装置本体１５は直ちにアラーム（警笛）を鳴らすので、引ったくった加害者は驚いてビジネスバッグＡを放すことが期待できる。
【００２１】
また、紐状体１０さえ握っておけば、置き引きに遭遇した際にも、鞄の持ち逃げに伴って警報装置本体１５がアラーム作動することで、鞄の持ち主は被害にあったことを直ちに知ることができるので、迅速に追跡が開始できるとか、犯人の認識が行えて、後の犯人捜索の手がかりが残せる等の優れた効果を奏することが可能である。
【００２２】
警報装置４は、一般に市販されている廉価なものが使用できるとともに、ビジネスバッグＡにおいては、紐状体１０を通す挿通孔１１と、収容ポケット１７、及びガイド１９を設けるだけで済むので、専用の構造は殆どなく、原価償却を行わねばならない部品も無いので、コスト安で構造も簡単に盗難防止機能を持たせることができる。そして、紐状体１０さえ抜ければ、警報装置本体１５は必ず警報作動するので、確実な警報作動が実現できる点で装置の信頼性にも優れるものにできた。
【００２３】
警笛としては、アラームのような電子音、ブザー、ホーン等種々のものが可能であるとともに、警報作動は、ライト点灯、臭気の散乱等も可能である。また、鞄としては、ショルダーバッグ、スポーツバッグ、ランドセル等でも、本発明を適用可能である。紐状体１０は、操作片１４から挿通孔１１までの部分は１本の紐であり、そこから先がループ状となっている構造のものでも良い。支持部材２は、肩紐、背負い紐、合成樹脂材や木材、或いは金属製の取っ手でも良い。
【００２４】
【考案の効果】
請求項１の鞄では、支持部材を紐状体との共握り状態で支持することができるので、支持部材を用いて鞄を持つことにより、鞄が引ったくりに遭遇すると、紐状体さえ持っていれば操作片は被害者に残るので、その紐状体が抜かれた警報装置本体は直ちに警報作動するので、引ったくった加害者は驚いて鞄を放すとか、盗難を断念するという効果が期待できる。
【００２５】
そして、紐状体さえ握っておけば、置き引きに遭遇した際にも、鞄の持ち逃げに伴って警報装置本体が警報作動することで、鞄の持ち主は被害にあったことを直ちに知ることができ、迅速に追跡が開始できるとか、犯人の認識が行えて、後の犯人捜索の手がかりが残せる等の優れた効果を奏することが可能である。
【００２６】
警報装置は、鞄とは別のものであるから、一般に市販されている廉価なものが使用できるとともに、鞄においては、紐状体を通す挿通孔と、警報装置本体の収容スペース程度を設けるだけで済むので、専用の構造は殆どなく、コスト安で構造も簡単に盗難防止機能を持たせることができる利点がある。
【００２７】
請求項２の鞄では、取っ手の付け根付近に挿通孔が形成されているので、取っ手を握る際には紐状体はすぐ近くに存在しており、忘れることなく共握り状態で取っ手を持つことができる。
【００２８】
請求項３の鞄では、ループ状の紐状体に手指を通した状態で支持部材を共握りできるので、鞄が引ったくり等の盗難に遭遇しても、少なくとも手指の通された紐状体は被害者に残るようになり、請求項１又は２の構成による前記効果が、より確実に発揮される利点がある。
【００２９】
請求項４の鞄では、操作片の離脱による警報作動は警笛であるから、警報装置の値段も廉価で済むものでありながら、周囲に鞄の異変を知らしめる効果が大であり、盗難防止作用がさらに促進される利点がある。
【図面の簡単な説明】
【図１】アラーム付き鞄の側方からの斜視図
【図２】アラーム付き鞄の正面方向からの斜視図
【図３】アラーム装置の収容状態を示す鞄内部の要部図
【図４】アラーム装置を示し、（ａ）は停止状態、（ｂ）は警報作動状態
【符号の説明】
１　　鞄本体
２　　支持部材
４　　警報装置
５　　開閉手段
１０　紐状体
１１　挿通孔
１３　開口部
１４　操作片
１５　警報装置本体
１７　収容スペース
【図１】
0003099216.tif 000003
【図２】
0003099216.tif 000004
【図３】
0003099216.tif 000005
【図４】
0003099216.tif 000006